(57)【要約】  一次側配線である電源ケーブルが接続される一次側端子部と、二次側配線である通信ケーブル（１６）が接続される二次側端子部とを備えた端子台本体（１１）と、端子台本体（１１）に装着され、一次側端子部と二次側端子部とをつなぐ導電板（１２ａ）と、端子台本体（１１）に設けられたガイド壁（１３）を備える。一次側配線と二次側配線の少なくとも一方が、端子台本体（１１）の底部（１１Ｂ）から一定の高さで導出される。上記構成により、端子に外力が加わった際あるいは、端子が変形した際にも、安全上の端子間距離を確保することができる。
2017175370.tif 000002
【特許請求の範囲】
【請求項１】
一次側配線が接続される一次側端子部と、二次側配線が接続される二次側端子部とを有する端子台本体と、
前記端子台本体に装着され、前記一次側端子部と前記二次側端子部とをつなぐ導電板と、
前記端子台本体に設けられたガイド壁を備え、
前記一次側配線と前記二次側配線の少なくとも一方が前記端子台本体の底部から一定の高さで導出されることを特徴とする端子台。
【請求項２】
前記一次側配線と前記二次側配線の少なくとも一方を構成するリード線が、前記導電板の一端と一体形成されており、
前記リード線は、前記ガイド壁を超えて導出されることを特徴とする請求項１に記載の端子台。
【請求項３】
前記ガイド壁は、前記リード線に一体形成された前記導電板の他端よりも、前記端子台本体の底部からの高さが高いことを特徴とする請求項２に記載の端子台。
【請求項４】
空気調和機を制御する制御基板と、
電源供給または通信線を中継する端子台と、
金属で覆われ、前記端子台がねじで固定される空気調和機用電気品箱であって、
前記端子台が、
一次側配線が接続される一次側端子部と、二次側配線が接続される二次側端子部とを備えた端子台本体と、
前記端子台本体に装着され、前記一次側端子部と前記二次側端子部とをつなぐ導電板と、
前記端子台本体に設けられたガイド壁を備え、
前記一次側配線と前記二次側配線の少なくとも一方が前記端子台本体の底部から一定の高さで導出されることを特徴とする空気調和機用電気品箱。
【請求項５】
前記二次側配線は、前記端子台から前記制御基板への通電部の端子と接続線とが、前記端子台の導電板と一体形成され、
前記リード線は、前記ガイド壁を超えて導出されたことを特徴とする請求項４に記載の空気調和機用電気品箱。
【請求項６】
前記ガイド壁は、前記リード線に一体形成された前記導電板の他端よりも、前記端子台本体の底部からの高さが高いことを特徴とする請求項５に記載の空気調和機用電気品箱。
【発明の詳細な説明】
【技術分野】
【０００１】
本発明は、端子台および空気調和機用電気品箱に係り、特に空気調和機に備えられた電気品箱にねじによって固定される中継用端子台の構造に関する。
【背景技術】
【０００２】
空気調和機に電源を供給するための電源線または、室内機、室外機、リモートコントローラ（以下リモコンという）との通信を中継するために中継用端子台が設置されている。空気調和機に設置される中継用端子台においては、近年、省エネルギー化を目的として、風路拡大のために、中継用端子台が組み込まれる電気品箱の小型化がトレンドである。【０００３】
空気調和機の室内機には様々な形態のものがあるが、例えば４方向カセット形室内機は、室内機の筐体内に設置された電動機を駆動させて電動機の軸に接続された送風機を回転させることにより、筐体内に設置されたベルマウスを通して室内空気を吸い込み、熱交換器で熱交換された空気を室内へ吹き出すように構成されている。ベルマウスは、釣鐘状の筒体で、空気の流れの円滑化に用いられる部材である。この種の室内機では、室内機の運転を制御するための制御基板を収納した電気品箱が室内機の下方側に配置されている場合が多く、電気品箱には、制御基板の他にも、室内機と室外機とを電気的に接続するための端子台と、室外機とリモコンとを電気的に接続するための端子台と、室内機に電源を供給するための電源線を接続する端子台が設置されている。【０００４】
中継用端子台が組み込まれる電気品箱の小型化に伴い、種々の短絡防止構造が開示されており、例えば特許文献１では、端子間の壁を突出させた端子台を開示している。特許文献１の端子台は、断面コの字状の直方体ブロックで構成された本体と、本体の窪み部上面に一体に成形され、２個ずつの取付けネジを有する複数の端子取付け板と、これらの端子取付け板間を絶縁するための窪み部上面及び本体側面から突出して設けられたスペーサとから構成される。
【先行技術文献】
【特許文献】
【０００５】
【特許文献１】実開昭６３−１３７４７１号公報
【発明の概要】
【発明が解決しようとする課題】
【０００６】
しかしながら、特許文献１の端子台構造を、空気調和機に用いる場合、以下に示す課題がある。空気調和機に装着される中継用端子台は、制御基板と共に金属製の電気品箱内に備えられていることが多く、電気品箱は、現地配線によってアース接続されている。そのため、製品組み立て時または、現地据え付け時に端子部に外力が加わった際、通電部の端子がアース接続された金属で囲まれた電気品箱に接触し地絡する恐れがある。また、外力により端子部が変形した際、安全上の距離を確保することができないという課題があった。【０００７】
本発明は、上記に鑑みてなされたもので、端子に外力が加わった際あるいは、端子が変形した際にも、安全上の端子間距離を確保することのできる端子台を得ることを目的とする。
【課題を解決するための手段】
【０００８】
上述した課題を解決し、目的を達成するために、本発明は、一次側配線が接続される一次側端子部と、二次側配線が接続される二次側端子部とを備えた端子台本体と、端子台本体に装着され、一次側端子部と二次側端子部とをつなぐ導電板と、端子台本体に設けられたガイド壁を備える。一次側配線と二次側配線の少なくとも一方が、端子台本体の底部から一定の高さで導出される。
【発明の効果】
【０００９】
本発明によれば、端子に外力が加わった際あるいは、端子が変形した際にも、安全上の端子間距離を確保することのできる端子台を得ることができるという効果を奏する。
【図面の簡単な説明】
【００１０】
【図１】実施の形態１の端子台の外観を示す斜視図
【図２】実施の形態１の端子台における導電板付きリード端子を示す要部拡大説明図
【図３】実施の形態１の端子台の上面図
【図４】実施の形態１の端子台の右側面図
【図５】実施の形態１の端子台の断面図であり、図３のV-V断面図
【図６】実施の形態１に係る空気調和機を模式的に示す図
【図７】図６に示される化粧パネルを取り外した室内機の筐体を下面側から見た図
【図８】実施の形態１に係る電気品箱の内観図
【図９】実施の形態２の端子台の外観を示す斜視図
【図１０】実施の形態２の端子台の上面図
【図１１】実施の形態２の端子台の右側面図
【図１２】実施の形態２の端子台の断面図であり、図１０のXII-XII断面図
【発明を実施するための形態】
【００１１】
以下に、本発明にかかる端子台および空気調和機用電気品箱の実施の形態を図面に基づいて詳細に説明する。なお、実施の形態により本発明が限定されるものではなく、本発明の要旨を逸脱しない範囲において適宜変更可能である。また、以下に示す図面においては、理解の容易のため、各部材の縮尺が実際とは異なる場合がある。各図面間においても同様である。また、平面図であっても、図面を見易くするためにハッチングを付す場合がある。一方断面図であっても、図面を見易くするためにハッチングを付さない場合がある。
【００１２】
実施の形態１．
図１は、実施の形態１の空気調和機に電源または通信を中継するための中継用の端子台の外観を示す斜視図、図２は、実施の形態１の端子台における導電板付きリード端子を示す要部拡大説明図、図３は、実施の形態１の端子台の上面図、図４は、実施の形態１の端子台の右側面図、図５は、実施の形態１の端子台の断面図であり、図３のV-V断面図である。実施の形態１の端子台１０では、樹脂製の端子台本体１１に、リード端子導出用のガイド壁１３が配されている。リード端子として、導電板とリード端子とが一体構造となった導電板付きリード端子１２が用いられている。導電板付きリード端子１２の端部と通信ケーブル１６との接続部１２ｃが端子台本体１１の底部１１Ｂからの高さＨが接続部１２ｃと同等かまたは接続部１２ｃよりも高く形成されたガイド壁１３を介して導出されている。導電板付きリード端子１２の一端部は二次側配線である通信ケーブル１６に接続され、導電板付きリード端子１２の導電板１２ａを介して一次側配線である電源ケーブル１７が接続され、一次側端子部を構成する。端子台本体１１と一体形成されたガイド壁１３により、端子台本体１１の底部から一定の高さで通信ケーブル１６が導出される。端子台本体１１とガイド壁１３とは一体形成された樹脂成型体である。
【００１３】
実施の形態１の端子台１０は、空気調和機１に備え付けられた金属製の電気品箱２０にねじによって固定され、現地配線との中継用の端子台と、空気調和機１の制御基板を中継する接続線を中継する機能とを有する。
【００１４】
端子台１０においては、端子台本体１１に、二次側配線部を構成する導電板付きリード端子１２が取り付けられ、導電板１２ａによって一次側配線部を構成する電源ケーブル１７と導電板付きリード端子１２とが電気的に接続される。導電板１２ａには、それぞれ端子ネジ１５を備えた一次側端子部が取り付けられる。端子ネジ１５の締結により、一次側配線部を構成する電源ケーブル１７と二次側配線部を構成する通信ケーブル１６とが導電板付きリード端子１２に固定される。これにより、導電板１２ａと一次側配線部および二次側配線部とが電気的に接続される。
【００１５】
樹脂成型体からなる端子台本体１１の中央部には、取付け穴１４が形成されており、端子台取付けネジ１８で、端子台１０が後述する電気品箱２０に装着される。
【００１６】
一次側端子部では、一次側圧着端子１７Ｓと導電板１２ａとが端子ネジ１５によってワッシャ１５Ｗを介して締結される。一次側圧着端子１７Ｓは図示しない圧着チューブを介して電源ケーブル１７に圧着により接続されている。一方、二次側端子部では、導電板付きリード端子１２が、通信ケーブル１６に接続される。
【００１７】
導電板付きリード端子１２は、図２に要部拡大説明図を示すように、端子ネジ１５が挿通される端子穴１２ｄを備えた先端の導電板１２ａと、リード端子本体部１２ｂと、通信ケーブル１６に接続するための接続部１２ｃとで構成される。接続部１２ｃは幅広部を構成しており、幅広部で通信ケーブル１６の図示しない芯線をかしめ込むことで導電板付きリード端子１２と通信ケーブル１６との接続がなされている。
【００１８】
図６は、実施の形態１に係る端子台１０を用いた空気調和機１を模式的に表す図である。空気調和機１は、室内機１００と室外機２００とで構成される。室内機１００は、４方向カセット形室内機であるが、これに限定されない。室内機１００にはリモコン通信配線５００を介してリモコン４００が接続され、室外機２００には室内外通信配線３００を介して室内機１００が接続されている。リモコン４００と室内機１００との間ではリモコン通信配線５００を介し情報の伝送が行われる。
【００１９】
室内機１００の筐体１０１の下面には化粧パネル１０２が取り付けられ、化粧パネル１０２の中央部分には室内空気の吸込口１０３が設けられ、吸込口１０３の周囲には吐き出し口１０４が設けられている。
【００２０】
図７は、図６に示した化粧パネル１０２を取り外した室内機１００の筐体１０１を下面側から見た図である。図示例のように筐体１０１は、化粧パネル１０２の吸込口１０３と対向する位置に設けられたベルマウス１０５と、化粧パネル１０２の吐き出し口１０４と対向する位置に設けられた複数の吐き出し口１０４ｉと、吐き出し口１０４ｉとベルマウス１０５との間に設置された電気品箱２０とを有して構成されている。また筐体１０１には、ベルマウス１０５を通して室内空気を吸い込むと共に吐き出し口１０４ｉと通じて空気を吐き出す、図示しない送風機、送風機の周囲に設けられた、図示しない熱交換器などが設けられている。
【００２１】
電気品箱２０は、ベルマウス１０５の開口部を塞ぐことがないように、一方の長手側面つまりベルマウス１０５側の面である内側面２０ｂがベルマウス１０５の開口部の縁よりも外径側に位置している。また、電気品箱２０の他方の長手側面つまり吐き出し口１０４ｉ側の面である外側面２０ａが吐き出し口１０４ｉの縁よりも中央側に位置するように構成され、下面が化粧パネル１０２と対向するように筐体１０１に設置される。上記構成により、化粧パネル１０２の吸込口１０３を通過した室内空気は、電気品箱２０の内側面２０ｂで遮られることなくベルマウス１０５に吸い込まれる。
【００２２】
図８は、実施の形態１に係る電気品箱２０の内観図である。図８には電気品箱２０に内蔵される部品の一例が示され、電気品箱２０には、室内機１００に搭載される送風機用電動機を駆動する駆動回路が実装された制御基板３２と、電源兼室内外配線中継用の端子台を構成する端子台１０とを具備している。電気品箱２０には、他に通信配線端子台も設けられているがここでは図示していない。電気品箱２０の筐体には、電気品箱２０の開口面すなわち化粧パネル１０２と対向する面を閉塞する図示しない蓋を固定するための固定部材３３ａ，３３ｂが形成されている。
【００２３】
端子台１０は、電気品箱２０の筐体の一方の短手側面２０ｃと制御基板３２との間において、電気品箱２０の筐体にねじ止めされている。端子台１０の１次側端子には、例えば、電気品箱２０の短手側面２０ｃに形成された配線導入口２２から引き込まれた電源ケーブル１７が接続される。電源ケーブル１７は、例えば単相３線２００Ｖ用の配線である。端子台１０の２次側端子には、制御基板３２への配線が接続されると共に、例えば図３に示す、電源ケーブル１７の接地線が接続されるＳ１端子と電源ケーブル１７の一方の電源線が接続されるＳ２端子または電源ケーブル１７の他方の電源線が接続されるＳ３端子に図６に示す室内外通信配線３００が接続される。以上のように室外機２００と室内機１００が接続される。
【００２４】
２次側端子である通信ケーブル１６に接続された配線は、制御基板３２に設置された電源トランス２３の図示しない１次側巻線と電気的に接続されている。電源トランス２３の図示しない２次側巻線は制御基板３２に実装された図示しないコンバータ回路と電気的に接続されている。図８では、電源トランス２３よりも制御基板３２の１次側巻線側である左側領域を１次側領域とし、電源トランス２３よりも制御基板３２の２次側巻線側である右側領域を２次側領域としている。
【００２５】
通信配線端子台である端子台１０は、電源トランス２３よりも制御基板３２の２次側領域に設置され、かつ、電気品箱２０の他方の短手側面２０ｃに設置されている。端子台１０には、例えば、短手側面２０ｃに形成された配線導入口２２から引き込まれたリモコン通信配線５００が接続される。
【００２６】
以下、空気調和機の動作を説明する。電源ケーブル１７から供給される商用電源は制御基板３２に実装された図示しないコンバータ回路で直流電力に変換され、変換された直流電力は図示しないインバータ回路によって交流電力に変換され、室内機１００内の電動機へ供給される。電動機の軸に接続された送風機が回転することにより、化粧パネル１０２の吸込口１０３から室内空気が吸い込まれる。吸込口１０３を通過した室内空気は、電気品箱２０の内側面２０ｂで遮られることなくベルマウス１０５に導入され、室内機１００内の熱交換器で熱交換された空気は吐き出し口１０４より室内に吹出される。
【００２７】
以上のように、実施の形態１の端子台１０は、端子台１０から制御基板３２への接続部、つまり通電部の端子と接続線が、中継用の端子台１０の端子部と一体形成される構造を使用し、現地での配線を中継することによって、空気調和機１に電源の供給を行う機能を有する。また、金属で形成された電気品箱２０は、現地配線にてアースに接続されるため、アースと同電位になる。従って、組み立て、据え付け時など、端子部に外力が加わった際に中継用接続線に外力が加わると、アース接続された電気品箱２０の金属部に接触する恐れがあるが、底部から一定高さを有するガイド壁１３を配し、通信ケーブル１６がガイド壁１３を介して導出されるようにしている。従って、外力により中継用端子台１０から制御基板３２への接続部が変形した際も、端子台１０の通信ケーブル１６と導電板付きリード端子１２との端子接続部が他の金属部にふれないようにすることができる。中継用の端子台１０から制御基板３２への接続部、つまり通電部の端子と制御基板３２への接続線が、中継用の端子台１０の端子部と一体形成された構造において、組み立て、据え付け時、端子部に外力が加わった際にアース接続された金属で囲まれた電気品箱２０に接触し地絡することを防ぐことができる。また安全上の距離を確保することができる。
【００２８】
実施の形態２．
図９は、実施の形態２の空気調和機に電源または通信を中継するための中継用の端子台端子台の外観を示す斜視図、図１０は、実施の形態２の端子台の上面図、図１１は、実施の形態２の端子台の右側面図、図１２は、実施の形態２の端子台の断面図であり、図１０のXII-XII断面図である。実施の形態２の端子台１０Ｓは、ガイド壁１３を有する点では実施の形態１と同様であるが、二次側配線である通信ケーブル１６に接続される導電板付きリード端子１２が、導電板１２ａとクリップ端子１２Ｓとで形成され、通信ケーブル１６と二次側端子であるクリップ端子１２Ｓとの接続は、クリップ接続である点が異なる。実施の形態２の端子台１０Ｓにおいても、クリップ端子１２Ｓと、通信ケーブル１６との接続部も、絶縁スリーブ等の絶縁被覆を必要とすることなく、地絡を防止できるものである。実施の形態２の端子台１０Ｓにおいても、リード端子であるクリップ端子１２Ｓの端部と通信ケーブル１６との接続部の電気品箱２０の底部からの高さと同等かまたは接続部よりも高く形成されたガイド壁１３を介して導出される。他は、実施の形態１の端子台１０および電気品箱２０と同様であるため、ここでは説明を省略する。なお、同一部位には同一符号を付した。実施の形態２の端子台１０Ｓにおいても、端子台本体１１とガイド壁１３とは一体形成された樹脂成型体である。なお図１０から図１２では、クリップ端子１２Ｓの端部に接続される通信ケーブル１６は図示していない。
【００２９】
実施の形態２の端子台によっても、実施の形態１の端子台と同様、製品組み立て時または、現地据え付け時に端子部に外力が加わった際に、アース接続された金属で囲まれた電気品箱に接触し地絡することを防ぐことができる。
【００３０】
なお、ガイド壁の高さは、接続部あるいは導電板の高さ位置と同程度かあるいはそれ以上であるのが望ましいが、端子体底面から一定の高さであればよい。ガイド壁の高さは、ケーブルの材質、太さ、接続部の構造などを考慮し、あらかじめ決定された高さ以上であればよい。
【００３１】
端子箱本体は、エポキシ樹脂などの樹脂成型体で構成されているが、ガイド壁は端子箱本体と一体成形しても良いし、別途装着しても良い。また、ガイド壁の上縁にケーブル挿通用の溝を形成しても良い。溝の形成により、ケーブルの位置が確保され、より確実な固定が可能となる。
【００３２】
電気品箱は、エポキシ樹脂などの樹脂成型体で構成し、外側に接地用の金属を配してもよいし、樹脂成型体の外側に金属薄膜を形成しても良い。また、金属板で形成し、必要な箇所に絶縁部材を配して実装するようにしてもよい。
【００３３】
また、実施の形態１および２では、２次側配線である通信ケーブル１６が、端子台本体の底部から一定の高さで導出される例について説明したが、１次側配線である電源ケーブル１７がガイド壁によって底部から一定の高さで導出されるようにしても良く、両側に接続部を持つ場合には両方にガイド壁を配しても良い。
【００３４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３５】
１  空気調和機、１０，１０Ｓ  端子台、１１  端子台本体、１２  導電板付きリード端子、１２ａ  導電板、１２ｂ  リード端子本体部、１２ｃ  接続部、１２ｄ  端子穴、１３  ガイド壁、１４  取付け穴、１５  端子ネジ、１５Ｗ  ワッシャ、１６  通信ケーブル、１７  電源ケーブル、１８  端子台取付けネジ、２０  電気品箱、２０ａ  外側面、２０ｂ  内側面、２２  配線導入口、２３  電源トランス、３２  制御基板、３３ａ，３３ｂ  固定部材、１００  室内機、２００  室外機、１０１  筐体、１０２  化粧パネル、１０３  吸込口、１０４，１０４ｉ  吐き出し口、１０５  ベルマウス、３００  室内外通信配線、４００  リモコン、５００  リモコン通信配線。
【図１】
2017175370.tif 000003
【図２】
2017175370.tif 000004
【図３】
2017175370.tif 000005
【図４】
2017175370.tif 000006
【図５】
2017175370.tif 000007
【図６】
2017175370.tif 000008
【図７】
2017175370.tif 000009
【図８】
2017175370.tif 000010
【図９】
2017175370.tif 000011
【図１０】
2017175370.tif 000012
【図１１】
2017175370.tif 000013
【図１２】
2017175370.tif 000014
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
金属で覆われた電気品箱に、ねじで固定される端子台であって、
一次側配線が接続される一次側端子部と、二次側配線が接続される二次側端子部とを有する端子台本体と、
前記端子台本体に装着され、前記一次側端子部と前記二次側端子部とをつなぐ導電板と、
前記端子台本体に設けられたガイド壁とを備え、
前記一次側端子部は前記一次側配線と前記導電板とを接続する一次側接続部を備えるとともに、前記二次側端子部は前記二次側配線と前記導電板とを接続する二次側接続部を備え、
前記ガイド壁は、
前記一次側接続部と前記一次側配線との間、および前記二次側接続部と前記二次側配線との間の少なくとも一方に、設けられ、
前記一次側配線と前記二次側配線の少なくとも一方が前記ガイド壁を越えて前記電気品箱上に配された前記端子台本体の底部から一定の高さあるいはそれ以上で導出されることを特徴とする端子台。
【請求項２】
前記一次側配線と前記二次側配線の少なくとも一方を構成するリード線が、前記導電板の一端と一体形成されており、
前記リード線は、前記ガイド壁を超えて導出されることを特徴とする請求項１に記載の端子台。
【請求項３】
前記ガイド壁は、前記リード線に一体形成された前記導電板の他端よりも、前記端子台本体の底部からの高さが高いことを特徴とする請求項２に記載の端子台。
【請求項４】
空気調和機を制御する制御基板と、
電源供給または通信線を中継する端子台と、
金属で覆われ、前記端子台がねじで固定される空気調和機用電気品箱であって、
前記端子台が、
一次側配線が接続される一次側端子部と、二次側配線が接続される二次側端子部とを備えた端子台本体と、
前記端子台本体に装着され、前記一次側端子部と前記二次側端子部とをつなぐ導電板と、
前記端子台本体に設けられたガイド壁を備え、
前記一次側端子部は前記一次側配線と前記導電板とを接続する一次側接続部を備えるとともに、前記二次側端子部は前記二次側配線と前記導電板とを接続する二次側接続部を備え、
前記ガイド壁は、
前記一次側接続部と前記一次側配線との間、および前記二次側接続部と前記二次側配線との間の少なくとも一方に、設けられ、
前記一次側配線と前記二次側配線の少なくとも一方が前記ガイド壁を越えて前記電気品箱上に配された前記端子台本体の底部から一定の高さあるいはそれ以上で導出されることを特徴とする空気調和機用電気品箱。
【請求項５】
前記二次側配線は、前記端子台から前記制御基板への通電部の端子と接続線とを構成するリード線が、前記端子台の導電板と一体形成され、
前記リード線は、前記ガイド壁を超えて導出されたことを特徴とする請求項４に記載の空気調和機用電気品箱。
【請求項６】
前記ガイド壁は、前記リード線に一体形成された前記導電板の他端よりも、前記端子台本体の底部からの高さが高いことを特徴とする請求項５に記載の空気調和機用電気品箱。
【手続補正２】
【補正対象書類名】明細書
【補正対象項目名】０００８
【補正方法】変更
【補正の内容】
【０００８】
上述した課題を解決し、目的を達成するために、本発明は、金属で覆われた電気品箱に、ねじで固定される端子台であって、一次側配線が接続される一次側端子部と、二次側配線が接続される二次側端子部とを備えた端子台本体と、端子台本体に装着され、一次側端子部と二次側端子部とをつなぐ導電板と、端子台本体に設けられたガイド壁を備える。一次側端子部は一次側配線と電板とを接続する一次側接続部を備えるとともに、二次側端子部は二次側配線と導電板とを接続する二次側接続部を備える。ガイド壁は、一次側接続部と一次側配線との間、または二次側接続部と二次側配線との間の少なくとも一方に、設けられ、一次側配線と二次側配線の少なくとも一方が、ガイド壁を越えて電気品箱上に配された端子台本体の底部から一定の高さあるいはそれ以上で導出される。
【国際調査報告】
2017175370.tif 000015
2017175370.tif 000016
2017175370.tif 000017
2017175370.tif 000018